(57)【特許請求の範囲】
【請求項１】
液吸収能力を持つパッド本体を有し、前記パッド本体の上方向の面に縦方向へ延びる隆起部が設けられ、前記パッド本体に、タンポンから延びる紐を挿通する挿通部と、前記パッド本体の端部から前記挿通部に延びて前記紐を案内する案内スリットとが形成されて、前記紐が前記パッド本体に係止可能とされていることを特徴とする吸収パッド。
【請求項２】
前記隆起部は、前記パッド本体を幅方向に二分する中心線に沿って１つ設けられている請求項１記載の吸収パッド。
【請求項３】
前記隆起部は、前記パッド本体を幅方向に二分する中心線の両側にそれぞれ設けられている請求項１記載の吸収パッド。
【請求項４】
前記パッド本体は２つの吸収性部材により形成されており、それぞれの前記吸収性部材は折り曲げ線で折り曲げられ、前記折り曲げ線どうしが互いに接合されて、それぞれの前記吸収性部材の一部が前記隆起部を形成している請求項３記載の吸収パッド。
【請求項５】
前記吸収性部材に、圧縮により形成された折り曲げ誘導線が設けられている請求項４記載の吸収パッド。
【請求項６】
前記挿通部は、前記２つの吸収性部材どうしが接合された接合境界部に形成されている請求項４または５記載の吸収パッド。
【請求項７】
前記パッド本体の裏面側に、挟持シートが位置して、前記パッド本体と前記挟持シートとが一部で接合されており、前記挿通部から裏面側へ延びた前記紐が前記パッド本体と前記挟持シートとの間に挟持可能とされている請求項１ないし６のいずれか１項に記載の吸収パッド。
【請求項８】
前記挟持シートの面積は、前記パッド本体の面積と同じかまたは前記パッド本体の面積よりも大きく、前記挟持シートで前記パッド本体の裏面のほぼ全面を覆うことができる請求項７記載の吸収パッド。
【請求項９】
前記挟持シートが液不透過性である請求項７または８記載の吸収パッド。
【請求項１０】
前記挟持シートの外面に低摩擦処理が施されている請求項７ないし９のいずれか１項に記載の吸収パッド。
【請求項１１】
前記パッド本体の裏面が液不透過性である請求項１ないし１０のいずれか１項に記載の吸収パッド。
【請求項１２】
前記パッド本体は、液透過性の表面シートと、液不透過性の裏面シートと、前記表面シートと前記裏面シートとの間に介在する吸収層とを有する請求項１１記載の吸収パッド。
【発明の詳細な説明】
【０００１】
【発明の属する技術分野】
本発明は、生理用タンポンと併用される吸収パッドに係り、さらに詳しくは、身体に密着しやすく、経血の吸収容量も大きくできる吸収パッドに関する。
【０００２】
【従来の技術】
生理用タンポンは、生理用ナプキンなどの吸収性物品と併用されることが多い。これは、タンポンで吸収しきれなかった経血や、タンポンと女性性器の間に生じる隙間から漏れる経血が衣類に付着するのを防止するためである。
【０００３】
特願２０００−３５０６８２号公報には、生理用タンポンと併用されるための吸収パッドが記載されている。この吸収パッドは、平面状のパッド本体の表面側から裏面側へ貫通する挿通部が形成され、前記挿通部にタンポンから延びる紐が挿通される構造である。したがって、使用時にもタンポンの装着位置からパッド本体がずれることがない。
【０００４】
【発明が解決しようとする課題】
しかし、このような吸収パッドはパッド本体が平面状であるため、装着時にパッド本体が女性性器に密着し難い。また、パッド本体が変形し難いため、装着者の体の動きによってパッド本体にずれが生じ、女性性器との密着性が悪いことがある。さらに、タンポンで吸収しきれなかった経血やタンポンと女性性器の間に生じる隙間から漏れる経血が前記吸収パッドに吸収された場合に、吸収された経血が装着者の肌に広がりやすい。
【０００５】
そこで、本発明は、パッド本体の上側の面に形成された隆起部を女性性器に確実に密着させることができ、吸収された経血の肌への広がりを防ぐことができるタンポンとの併用に適した吸収パッドを提供することを目的としたものである。
【０００６】
【課題を解決するための手段】
本発明の吸収パッドは、液吸収能力を持つパッド本体を有し、前記パッド本体の上方向の面に縦方向へ延びる隆起部が設けられ、前記パッド本体に、タンポンから延びる紐を挿通する挿通部と、前記パッド本体の端部から前記挿通部に延びて前記紐を案内する案内スリットとが形成されて、前記紐が前記パッド本体に係止可能とされていることを特徴とするものである。
【０００７】
この吸収パッドは、タンポンと併用したときに、前記隆起部が女性性器に密着して位置ずれしにくく、また前記隆起部が液吸収能力を有するため、タンポンで吸収しきれなかった経血が不用意に広がるのを防止できる。
【０００８】
前記隆起部は、前記パッド本体を幅方向に二分する中心線に沿って１つ設けられていてもよく、この場合前記隆起部が膣口に密着しやすい。
【０００９】
また、前記隆起部は、前記パッド本体を幅方向に二分する中心線の両側にそれぞれ設けられていてもよい。この場合、経血がパッド本体の左右両側へ拡散するのを防止しやすい。
【００１０】
例えば、前記パッド本体は２つの吸収性部材により形成されており、前記吸収性部材は折り曲げられており、前記吸収性部材の折り曲げ線どうしが互いに接合されて、それぞれの吸収性部材の一部が前記隆起部を形成しているものとして構成できる。
【００１１】
２つの吸収性部材を折り曲げて接合した構造では、前記隆起部の形成が容易である。
【００１２】
また、前記吸収性部材に、圧縮により形成された折り曲げ誘導線が設けられていることが好ましい。前記折り曲げ誘導線が形成されていると、吸収性部材を折り曲げやすくなり、隆起部が身体の方向へ向けて立ち上がりやすくなる。
【００１４】
また、前記挿通部は、前記２つの吸収性部材どうしが接合された接合境界部に形成されているものにできる。
【００１５】
前記のように挿通部が形成されているので、タンポンの紐をパッド本体で係止しやすい。また、前記案内スリットが設けられているので、前記紐を前記挿通部へ誘導しやすい。前記挿通部に紐が挿通されることよって、タンポンとパッド本体との相対位置が変動しにくく、吸収パッドが膣口に対して位置ずれしにくくなる。
【００１６】
また、前記パッド本体の裏面側に、挟持シートが位置して、前記パッド本体と前記挟持シートとが一部で接合されており、前記挿通部から裏面側へ延びた前記紐が前記パッド本体と前記挟持シートとの間に挟持可能とされていることが好ましい。
この場合、紐がパッド本体側に確実に係止されるようになる。
【００１７】
また、前記挟持シートの面積は、前記パッド本体の面積と同じかまたは前記パッド本体の面積よりも大きく、前記挟持シートで前記パッド本体の裏面のほぼ全面を覆うことができるものが好ましい。
この場合に、前記挟持シートが液不透過性であることが好ましい。
【００１８】
前記挟持シートを用いると、パッド本体の裏側への経血の滲みを防止できるようになる。
【００１９】
さらに、前記挟持シートの外面に低摩擦処理が施されていると、パッド本体が下着の内面を滑りやすくなり、股間部と下着とが位置ずれしたときに、パッド本体が身体に対して位置ずれしにくくなる。
【００２０】
また、前記パッド本体の裏面が液不透過性であってもよい。
なお、前記パッド本体は、液透過性の表面シートと、液不透過性の裏面シートと、前記表面シートと前記裏面シートとの間に介在する吸収層とを有するものとして構成できる。
【００２１】
【発明の実施の形態】
図1は本発明の第1の実施の形態の吸収パッドをタンポンと組み合せた状態で示す斜視図、図２（ａ）はタンポンを組み合せていない状態における図１のＩＩ−ＩＩ線の断面図、図２（ｂ）はタンポンを組み合せていない状態における図１のＩＩＩ−ＩＩＩ線の断面図である。
【００２２】
図１および図２（ａ）、（ｂ）に示す本発明の吸収パッド１は、液吸収能力を有するパッドであり、タンポン２０との併用に適するものである。前記吸収パッド１は、パッド本体２と挟持シート３とが接合されたものである。
【００２３】
図1および図２（ａ）、（ｂ）に示すように、前記パッド本体２は、２つの吸収性部材７，７′によって形成されている。図３に示すように、２つの吸収性部材７，７′のうち一方の前記吸収性部材７は、吸収層４と液透過性シート５によって形成されている。前記液透過性シート５は２つの略楕円をそれらの長辺部で接合した形状であり、その接合部が前記液透過性シート５の折り曲げ線５ｅとなっている。吸収層４を前記液透過性シート５の一方の略楕円部５ａの上に置き、他方の略楕円部５ｂを前記略楕円部５ａ側に前記折り曲げ線５ｅで折り曲げて前記吸収層４の上に被せ、前記吸収層４を略楕円部５ａと略楕円部５ｂとの間に包む。そして、自由端部となっている前記略楕円部５ａの側縁５ｃと前記略楕円部５ｂの側縁５ｄとが接着剤で接合され、接合部７ａ、７′ａが形成されている。この接合部７ａ、７′ａが図１に示すパッド本体周辺部２ａを形成する。前記パッド本体周辺部２ａには吸収層４は設けられていない。この接合は接着剤によるものに限定されるものではなく、熱圧着や熱融着などによって接合されていても良い。２つの吸収性部材７，７′のうち他方の前記吸収性部材７′も吸収層４′と液透過性シート５′によって形成されており、前記吸収性部材７と同様にして形成される。
【００２４】
図４（ａ）、（ｂ）に示すように、このようにして形成された２つの前記吸収性部材７，７′は折り曲げ線６、６′を有しており、前記折り曲げ線６、６′で図示矢印方向に向ってそれぞれＬ字状に折り曲げられている。図２（ａ）に示すように、この吸収性部材７、７′は、折り曲げ線６、６′の基端部６ａ、６′ａを合わせて縦方向（Ｘ方向）の一部が接着剤８により接合されて接合部２ｄを形成し、前記接合部２ｄで互いに向き合うように一体化している。この接合は接着剤８によるものに限定されるものではなく、熱圧着や熱融着などによって接合されていても良い。前記折り曲げ線６，６′でＬ字状に折り曲げられて形成された吸収性部材７，７′のそれぞれの２つの面のうち、一方の面を有する部分は、前記折り曲げ線６、６′が起端部６ｂ、６′ｂとなって、パッド本体２の上方向（Ｙ方向）に立ち上る隆起部９、９′を形成している。図１に示すように、この隆起部９、９′はパッド本体の中心線Ｏ−Ｏに沿って、縦方向（Ｘ方向）全域に延びている。
【００２５】
前記折り曲げ線６，６′でＬ字状に折り曲げられて形成された吸収性部材７，７′の他方の面を有する部分は挟持シート３の上方向の面に実質的に沿っており、受液部１０、１０′を形成している。前記隆起部９，９′の起端部６ｂ、６′ｂに、例えば熱圧縮により折り曲げ誘導線６ｃ、６′ｃを付しておくことが好ましい。このように折り曲げ誘導線６ｃ、６′ｃを付しておくと、使用前の携帯時には前記隆起部９、９′を受液部１０、１０′側へ倒して平面状にしておけるため携帯性に優れたものとすることができ、使用時には隆起部９、９′を容易に隆起させて使用することができる。
【００２６】
前記パッド本体２はその上面からみた形状が略楕円形であり、その略楕円の一方の頂点がパッド本体２の一方の頂点２ｂとなり、他方の頂点がパッド本体２の他方の頂点２ｃとなっている。前記パッド本体２の頂点２ｂから前記中心線Ｏ−Ｏ線に沿った長さＬ３の位置にかけては、前記基端部６，６′が接合されていないため、前記吸収性部材７と７′との間に自由端７ｂ、７′ｂを有する。この７ｂと７′ｂとの間に隙間が形成され、この隙間が案内スリット１１を形成する。そして、案内スリット１１の終端が、パッド本体２を表裏に貫通する挿通部１２となっている。このように、パッド本体２の端部から前記挿通部１２に延びて前記紐を案内する案内スリット１１が形成されていると、前記紐を前記挿通部１２に導きやすくなる。ただし、本発明はこれに限定されるものではなく、前記案内スリット１１が前記頂点２ｂと２ｃのそれぞれから形成されるものであっても良い。そして、この実施の形態では、前記案内スリット１１および挿通部１２によって、タンポンの紐を掛止する係止部が形成されている。
【００２７】
前記パッド本体２はその全体が水解性の素材で形成され、また、前記接着剤８が水溶性であることが好ましい。さらに、前記液透過性シート５、５′の端部どうしを接着している接着剤も水溶性であることが好ましい。前記水解性の素材および水溶性の接着剤を用いると、使用後に水洗トイレットに流し捨てることができる。ただし、パッド本体２が水解性素材で形成されていなくてもよいことはもちろんである。
【００２８】
図１および図２（ａ）に示すように、前記パッド本体２と前記挟持シート３は、部分的な接合部１３において粘着剤１５ａで、接合部１４において粘着剤１５ｂで互いに接合されている。図２（ｂ）に示すように、前記接合部１３、１４は前記案内スリット１１と重複する位置には設けられていない。したがって、前記案内スリット１１と重複する位置では、前記パッド本体２と前記挟持シート３とは接合されていない。
【００２９】
前記挟持シート３は紙または不織布あるいはフィルムであり、液不透過性であることが好ましい。前記挟持シート３の外面３ａには、下着への粘着層が設けられておらず、前記外面３ａの全域に低摩擦処理が施されている。この低摩擦処理は、前記外面３ａにシリコーン樹脂またはフッ素樹脂などをコーティングしたものである。
【００３０】
前記パッド本体２は従来の生理用ナプキンよりも小さく、且つ着用時に縒れることなく膣口を確実に塞ぐことが可能な大きさである。例えば、パッド本体２の縦方向の最長部の長さＬ１は８０〜１３０ｍｍ程度、好ましくは１００〜１２０ｍｍ、最大幅Ｗ１は５０〜８０ｍｍ、好ましくは６０〜７０ｍｍ程度である。
【００３１】
前記挟持シート３は、パッド本体２の裏面の一部においてのみ前記裏面と重なるものであってもよいが、前記挟持シート３がパッド本体２と同じ寸法か、または図１に示すようにパッド本体２よりも大きく、パッド本体２の裏面の全体が挟持シート３で覆われるものが好ましい。挟持シート３を液不透過性とし、挟持シート３でパッド本体２の裏面の全域が覆われていると、万一パッド本体２に経血の漏れを生じた場合でも、前記挟持シート３が下着に対面することで前記経血で下着が汚れるのを防止できる。
【００３２】
例えば、挟持シート３の縦方向の長さＬ２は前記Ｌ１より長く、前記Ｌ２が８５〜１４０ｍｍ程度、挟持シート３の幅寸法Ｗ２は、５５〜９０ｍｍ程度であることが好ましい。
【００３３】
また、前記隆起部９、９′の起端部６ｂ、６′ｂから隆起部９、９′の頂部６ｄ、６′ｄまでの高さｈは５〜２０ｍｍ程度、好ましくは１５ｍｍ程度である。これよりも低いとパッドと装着者の女性性器との当接性が悪くなり、これよりも高いと装着者に違和感を与えることになる。
【００３４】
さらに、前記隆起部９、９′の縦方向の長さは３０ｍｍ以上であることが好ましい。３０ｍｍより短いと前記隆起部９、９′が女性器と当接する面積が少なくなるため、吸収パッドからの経血の横漏れを有効に防止できない。また、経血が吸収された吸収パッドが着用者の肌に触れる面積が大きくなるため、経血が肌に付着することによって生ずる着用者の肌のかぶれを防止することができない。
【００３５】
前記挿通部１２は、パッド本体２のほぼ中央部に位置していることが好ましく、前記案内スリット１１の長さＬ３は、前記Ｌ１の１／３〜１／２程度であることが好ましい。しかし、前記案内スリット１１が前記頂点２ｂと２ｃのそれぞれから形成されている場合の案内スリット１１の長さは、前記Ｌ１の１／３程度であることが好ましい。
【００３６】
次に、タンポン２０と前記吸収パッド１の装着方法を説明する。
タンポン２０は、圧縮された吸収体２１と、前記吸収体２１から延びる紐（リード）２２を有している。前記吸収体２１はアプリケータに挿入されているものであってもよいし、アプリケータに挿入されていないものであってもよい。
【００３７】
前記タンポン２０を膣内に挿入しアプリケータを抜き取った後に、紐２２をパッド本体２の案内スリット１１に挿入し、案内スリット１１に沿って紐２２を挿通部１２に案内する。そして、紐２２の端部２２ａを持ち、パッド本体２を引き上げると、挿通部１２と前記紐２２との案内作用により、パッド本体２が膣口に一致する位置に装着される。この際、前記隆起部９、９′が女性器の陰唇内側に挿入されて着用されるものとして使用することができる。このように、前記隆起部９、９′を女性器の陰唇内側に挿入して着用すると、陰唇の閉じ力で前記隆起部９，９′を女性器に保持させ、これにより吸収パッド１の全体が女性器と一体感を有するように着用することができる。また、前記隆起部９，９′を受液部１０，１０′側へ倒した状態で使用することもできる。この場合でも、前記隆起部の内側が女性器の形に沿うことができるので、タンポンの吸収体２１から漏れ出した少量の経血は前記隆起部９、９′により吸収される。
【００３８】
パッド本体２が膣口に装着された後に、前記紐２２を、パッド本体２と挟持シート３との間に挟み込み、例えば図１に示すように、紐２２の端部２２ａを、案内スリット１１と逆の向きに回すようにして、紐２２をパッド本体２と挟持シート３との間で挟んで挟持させる。このように、パッド本体２と挟持シート３との間に紐２２の端部を挟み込むことにより、紐２２がタンポン吸収体２１から漏れ出した経血によって汚れることを防ぐことができる。したがって、装着者がタンポンを取り出す際に経血で汚れた紐２２を手で持つことがなくなり、よって装着者の手を経血で汚すことを防止できる。
【００３９】
紐２２がパッド本体２と挟持シート３との間に挟持されていることにより、下着を装着するまでの間、吸収パッド２がタンポンが挿入された膣口から位置ずれしにくくなり、下着を装着したときに、パッド本体２が位置ずれしにくい。
【００４０】
さらに、挟持シート３の外面３ａには粘着層が設けられていないため、紐２２によって膣口に密着するように位置決めされた挟持シート３と、下着とが粘着されず、挟持シート３と下着とが相対的に動くことができる。特に、前記挟持シート３の外面３ａに低摩擦処理がなされていると、下着がずれたときに挟持シート３と下着とが滑り、パッド本体２が膣口からずれるのを防止できる。
【００４１】
タンポンの吸収体２１から漏れ出した少量の経血は、パッド本体２の吸収層４、４′により吸収される。この際、前記隆起部９、９′を女性器の陰唇内側に挿入して着用した場合は、タンポンの吸収体２１から漏れ出した少量の経血が前記隆起部９，９′にて吸収される。
【００４２】
また、前記隆起部９，９′を受液部１０，１０′側へ倒した状態で使用した場合でも、タンポンの吸収体２１から漏れ出した少量の経血は前記隆起部９、９′の内側により吸収される。また、タンポンの吸収体２１から漏れ出した経血が前記隆起部９，９′で吸収しきれなかった場合や前記隆起部９、９′から横漏れした場合には、前記受液部１０、１０′で吸収される。
【００４３】
このように、前記隆起部９、９′を形成すると、隆起部９、９′が女性性器に密着するため、パッド本体２のずれによって生じる経血の漏れを防止することができる。また、隆起部９、９′が女性性器に当接することにより経血が吸収された吸収パッドが着用者の肌に触れる面積を少なくすることができるため、経血が肌に付着することによって生ずる着用者の肌のかぶれを少なくすることができる。
【００４４】
また経血が前記紐２２を伝わって漏れた場合、その下には挟持シート３が位置しているため、この挟持シート３を不透液性とすることで、下着３０が汚れるのを防止できる。
【００４５】
図５は図１に示す本発明の第1の実施の形態における第1の変形例の吸収パッドを示したものであり、図５（ａ）は図２（ａ）と同様にタンポンを組み合せていない状態における吸収パッドを図１におけるＩＩ−ＩＩ線と同様の位置で切断した断面図、図５（ｂ）は図２（ｂ）と同様にタンポンを組み合せていない状態における吸収パッドを図１におけるＩＩＩ−ＩＩＩ線と同様の位置で切断した断面図である。図５（ａ）、（ｂ）において図２（ａ）、（ｂ）と同じ構造の部分には同じ符号を付してその説明を省略する。
【００４６】
図５（ａ）、（ｂ）に示す吸収パッド１Ａはパッド本体２Ａを有している。前記パッド本体２Ａは、図１に示す本発明の第1の実施の形態の吸収パッド１の前記吸収性部材７、７′のそれぞれの上面に、Ｌ字状に折り曲げられた吸収性部材７Ａ、７′Ａを配置して形成される。前記吸収性部材７Ａ、７′Ａは前記吸収性部材７，７′と同じ構造で形成されているものであり、吸収層４Ａ、４′Ａを略楕円形状の液透過性シート５Ａ、５′Ａでそれぞれ包み、自由端部となっている前記略楕円形状の液透過性シート５Ａ、５′Ａの側縁が接着剤で接合され、接合部７Ａａ、７′Ａａが形成されている。
【００４７】
図５（ａ）、（ｂ）に示すように、前記吸収性部材７を形成する前記液透過性シート５の上面にＬ字状に折り曲げられた前記吸収性部材７Ａを置き、前記吸収性部材７Ａの折り曲げ線１６の基端部１６ａを前記隆起部９の起端部６ｂの近傍に接着剤１７により接合する。同様に、前記吸収性部材７′を形成する前記液透過性シート５′の上面にＬ字状に折り曲げられた前記吸収性部材７′Ａを置き、前記吸収性部材７′Ａの折り曲げ線１６′の基端部１６′ａを前記隆起部９′の起端部６′ｂの近傍に接着剤１７により接合する。この接合は接着剤１７によるものに限定されるものではなく、熱圧着や熱融着などによって接合されていても良い。そして、前記吸収性部材７、７′の前記接合部７ａ、７′ａと前記吸収性部材７Ａ、７′Ａの前記接合部７Ａａ、７′Ａａとが接合され、この接合部がパッド本体周辺部２Ａａを形成している。
【００４８】
前記折り曲げ線６，６′でＬ字状に折り曲げられて形成された吸収性部材７Ａ，７′Ａのそれぞれの２つの面のうち、一方の面を有する部分が前記折り曲げ線１６、１６′の基端部１６ａ，１６′ａからパッド本体の上方向に立ち上り、隆起部９Ａ、９′Ａを形成している。この隆起部９Ａ、９′Ａはパッド本体の縦方向へ向って延びている。図５（ａ）、（ｂ）に示すように、前記隆起部９、９′、９Ａ、９′Ａは扇状に広がるように形成されている。そして、前記折り曲げ線１６，１６′でＬ字状に折り曲げられて形成された吸収性部材７Ａ，７′Ａの他方の面を有する部分は前記受液部１０の上方向の面に実質的に沿っており、受液部１０Ａ、１０′Ａを形成している。
【００４９】
このように、複数の隆起部９、９′、９Ａ、９′Ａが形成されていることにより、パッド本体２Ａを複雑な形状の女性器に密着させることができる。また、隆起部９、９′、９Ａ、９′Ａが身体の動きに合わせて女性器に追随するため、経血の漏れを防止することができる。
【００５０】
さらに、隆起部９、９′を女性器の陰唇内側に挿入して着用し、隆起部９、９′よりも吸収パッド１Ａの側縁側に設置されている隆起部９Ａ、９′Ａを女性器の陰唇外側に位置させて装着することができる。これにより、吸収パッド１Ａの全体が女性器と一体感を有するように着用することができ、パッド本体２Ａが膣口からずれにくくなる。また、前記隆起部９，９′で吸収しきれなかった経血や前記隆起部９、９′から横漏れした経血は、隆起部９Ａ、９′Ａにより吸収されることになる。
【００５１】
なお、図５（ａ）、（ｂ）に示した吸収パッド１Ａは４つの吸収性部材でパッド本体が形成され、隆起部を４つ有しているが、本発明はこれに限定されるものではなく、それよりも多数の吸収性部材によりパッド本体が形成され、４つ以上の隆起部を有しているものであっても良い。また、Ｌ字状に折り曲げられていない、吸収層を有する複数の部材が受液部に接合されることによって複数の隆起部が形成されているものであっても良い。
【００５２】
図６は図１に示す本発明の第1の実施の形態における第２の変形例の吸収パッドを示したものであり、図６（ａ）は図２（ａ）と同様にタンポンを組み合せていない状態における吸収パッドを図１におけるＩＩ−ＩＩ線と同様の位置で切断した断面図、図６（ｂ）は図２（ｂ）と同様にタンポンを組み合せていない状態における吸収パッドを図１におけるＩＩＩ−ＩＩＩ線と同様の位置で切断した断面図である。図６（ａ）、（ｂ）において図２（ａ）、（ｂ）と同じ構造の部分には同じ符号を付してその説明を省略する。
【００５３】
図６（ａ）、（ｂ）に示すように、吸収パッド１Ｂはパッド本体２Ｂを有している。前記パッド本体２Ｂは、液透過性の表面シート１８と、液不透過性の裏面シート１９と、前記表面シート１８と前記裏面シート１９との間に挟まれた吸収層４、４′とを有している。前記吸収層４、４′はそれぞれ折り曲げ線２０、２０′を有しており、前記折り曲げ線２０、２０′でＬ字状に折り曲げられている。このＬ字状に折り曲げられた前記吸収層４、４′はその一方の面が前記裏面シート１９の上側に載置されている。そして、前記裏面シート１９の上側に載置された前記吸収層４、４′は、前記裏面シート１９と接している面と反対側の面の全面が前記表面シート１８によって覆われている。この、前記折り曲げ線２０、２０′でＬ字状に折り曲げられて形成された前記吸収層４、４′のそれぞれの２つの面のうち、一方の面を有する部分はパッド本体２Ｂの上方向へ向って立ち上っており、この立ち上った前記吸収層４、４′の部分とこの部分に対応する前記表面シートとで隆起部９Ｂ、９′Ｂが形成されている。この隆起部９Ｂ、９′Ｂはパッド本体の縦方向へ向って延びている。
【００５４】
パッド本体２Ｂの周辺部２Ｂａには吸収層４、４′が設けられておらず、前記周辺部２Ｂａにおいて表面シート１８と裏面シート１９とが接着剤で接合されている。
【００５５】
前記パッド本体２Ｂはその上面からみた形状が略楕円形であり、前記パッド本体２Ｂでは、その略楕円形の１つの頂点からほぼ中央部分に至る案内スリット１１Ｂが形成されており、この案内スリット１１Ｂの終端が、パッド本体２Ｂを表裏に貫通する挿通部１２Ｂとなっている。また前記案内スリット１１Ｂおよび挿通部１２Ｂの周囲部分２Ｂｂには、吸収層４、４′が設けられておらず、表面シート１８と裏面シート１９とが接合された領域となっており、前記案内スリット１１Ｂおよび挿通部１２Ｂは前記表面シート１８と裏面シート１９との接合部分に切込み形成されている。
【００５６】
このように、前記裏面シート１９を液不透過性のシートとすることによって、吸収層４、４′に吸収された経血で下着が汚れるのを防止できる。
【００５７】
図７は本発明の第２の実施の形態として、吸収パッドをタンポンと組み合せた状態で示す斜視図、図８（ａ）はタンポンを組み合せていない状態における図７のＩＩ−ＩＩ線の断面図、図８（ｂ）はタンポンを組み合せていない状態における図７のＩＩＩ−ＩＩＩ線の断面図である。前記吸収パッド３０は、パッド本体３１と挟持シート３２とが接合されたものである。図８（ａ）、（ｂ）に示すように、前記パッド本体３１は、液透過性の表面シート３３と、液不透過型の裏面シート３４と、前記表面シート３３と前記裏面シート３４との間に挟まれた吸収層３５とを有している。そして、パッド本体３１の周辺部３１ａには吸収層３５が設けられておらず、前記周辺部３１ａにおいて表面シート３３と裏面シート３４とが接着剤で接合されている。
【００５８】
図７に示すように、前記パッド本体３１はその中心線Ｏ′−Ｏ′に沿って、縦方向（Ｘ方向）全域に隆起部３６が形成されている。前記隆起部３６は、前記吸収層３５が盛り上がることにより前記吸収層３５と一体的に形成されているが、本発明はこれに限定されるものではなく、前記吸収層３５の上に別個の部材により隆起部３６が形成されるものであっても良い。前記吸収層３５の上に別個の部材により隆起部３６が形成される場合には、前記隆起部３６を構成する部材は液吸収能力および液保持能力とを有することが好ましい。このように、前記隆起部３６を形成すると、隆起部３６が女性性器に密着するため、パッド本体３１のずれによって生じる経血の漏れを防止することができる。また、隆起部が女性性器に当接することにより経血が吸収された吸収パッドが着用者の肌に触れる面積を少なくすることができるため、経血が肌に付着することによって生ずる着用者の肌のかぶれを少なくすることができる。
【００５９】
そして、パッド本体の上側の面のうち、前記隆起部３６が形成されていない領域が受液部４２を形成している。
【００６０】
前記パッド本体３１はその上面からみた形状が略楕円形であり、前記パッド本体３１では、その略楕円形の１つの頂点からほぼ中央部分に至る案内スリット３７が形成されており、この案内スリット３７の終端が、パッド本体３１を表裏に貫通する挿通部３８となっている。また前記案内スリット３７および挿通部３８の周囲部分３１ｂには、吸収層３５が設けられておらず、表面シート３３と裏面シート３４とが接合された領域となっており、前記案内スリット３７および挿通部３８は前記表面シート３３と裏面シート３４との接合部分に切込み形成されている。
【００６１】
図７および図８（ａ）に示すように、前記パッド本体３１と前記挟持シート３２は、部分的な接合部３９において粘着剤４１ａで、接合部４０において粘着剤４１ｂで互いに接合されている。図８（ｂ）に示すように、前記接合部３９、４０は前記案内スリット３７と重複する位置には設けられていない。したがって、前記案内スリット３７と重複する位置では、前記パッド本体３１と前記挟持シート３２とは接合されていない。
【００６２】
次に各部材の構成材料を説明する。
前記液透過性シート５、５′、５Ａ、５′Ａおよび前記表面シート１８、３３は液透過性の不織布、開孔を有する樹脂フィルムで形成可能であるが、前記液透過性シート５、５' 、５Ａ、５′Ａおよび前記表面シート１８、３３として水解性のシートを使用することができる。また、挟持シート３、３２および裏面シート１９、３４は疎水性繊維を主体とした不織布や紙または樹脂フィルムなどで形成された液不透過性シートであるが、この挟持シート３および裏面シート１９、３４も水解性シートで形成することができる。
【００６３】
例えば、液透過性シート５、５′、５Ａ、５′Ａ、表面シート１８、３３、挟持シート３および裏面シート１９、３４として、パルプ繊維どうしが水素結合されてシート状とされた水解紙、パルプやレーヨンなどの水分散性繊維と水溶性のバインダーとから成る水解紙、親水性繊維が水解可能な状態に交絡させられた不織布を使用できる。そして挟持シート３および裏面シート１９、３４は、前記水解紙や水解性の不織布に、ポリビニルアルコールや不飽和カルボン酸からなる共重合体などの水溶性樹脂を塗工して、液不透過性の水解性シートとすることが可能である。
【００６４】
前記吸収層４、４′、３５は、例えば水解紙やパルプや不織布から形成できる。例えば、比較的厚みの薄い水解紙が複数枚重ねられたもの、またはエアレイドパルプなどである。
【００６５】
なお、本発明の前記隆起部９、９′、９Ａ、９′Ａ、９Ｂ、９′Ｂ、３６はパッド本体２、２Ａ、２Ｂ、３１の中心線Ｏ−Ｏ、Ｏ′−Ｏ′に沿って、縦方向全域にわたって形成されているものに限定されるものではなく、前記縦方向の一部の領域にのみ形成されているものであっても良い。この場合、前記隆起部９、９′、９Ａ、９′Ａ、９Ｂ、９′Ｂ、３６の縦方向の長さは３０ｍｍ以上であることが好ましい。３０ｍｍより短いと前記隆起部９、９′、９Ａ、９′Ａ、９Ｂ、９′Ｂ、３６が女性器と当接する面積が少なくなるため、吸収パッドからの経血の横漏れを有効に防止できない。また、経血が吸収された吸収パッドが着用者の肌に触れる面積が大きくなるため、経血が肌に付着することによって生ずる着用者の肌のかぶれを防止することができない。
【００６６】
前記隆起部９、９′、９Ａ、９′Ａ、９Ｂ、９′Ｂ、３６が前記縦方向の一部の領域にのみ形成されているものである場合、縦方向中央部からパッド本体の一方の頂点２ｂ方向における前記隆起部９、９′、９Ａ、９′Ａ、９Ｂ、９′Ｂ、３６の端部までの長さと縦方向中央部からパッド本体の他方の頂点２ｃ方向における前記隆起部９、９′、９Ａ、９′Ａ、９Ｂ、９′Ｂ、３６の端部までの長さとが同じものであっても良いが、本発明はこれに限定されるものではなく、前記２つの長さが異なるものであっても良い。前記２つの長さが異なるものである場合、長さが長い領域を着用者の会陰部側に着用することで経血の後ろ漏れを防ぎ易くすることができる。
【００６７】
また、本発明の前記本体パッド２、２Ａ、２Ｂ、３１は、挟持シート３、３２が無くパッド本体２、２Ａ、２Ｂ、３１のみで形成されたものであってもよい。
【００６８】
また案内スリット１１、１１Ｂ、３７を有さず、パッド本体２、２Ａ、２Ｂ、３１に紐２２を通す穴または切込みなどの挿通部１２、１２Ｂ、３８が形成されており、紐２２を挿通部１２、１２Ｂ、３８に指で通すものであってもよい。
【００６９】
さらに前記パッド本体２、２Ａ、２Ｂ、３１の形状は略楕円形状でなくてもよく、長方形や五角形あるいはそれ以外の多角形などであってもよい。
【００７０】
【発明の効果】
以上に説明したように、本発明の吸収パッドは、中央部近傍に設けられた透液性の隆起部が女性性器に当接するため、吸収パッドからの経血の横漏れを有効に防止できるようになる。また、隆起部が女性性器に当接することにより経血が吸収された吸収パッドが着用者の肌に触れる面積を少なくすることができるため、経血が肌に付着することによって生ずる着用者の肌のかぶれを少なくすることができる。また、生理用ナプキンよりもサイズを小さくできるので、前記吸収パッドを装着する際の違和感が生理用ナプキンよりも小さく、装着感に優れたものである。
【図面の簡単な説明】
【図１】第１の実施の形態を、生理用タンポンと組み合せた状態で示す斜視図、
【図２】（ａ）はタンポンを組み合せていない状態における図１のＩＩ−ＩＩ線の断面図、
（ｂ）はタンポンを組み合せていない状態における図１のＩＩＩ−ＩＩＩ線の断面図
【図３】図１の吸収パッドの部分分解斜視図、
【図４】（ａ）は図１の吸収パッドの部分分解斜視図、（ｂ）は図１の吸収パッドの部分分解斜視図、
【図５】（ａ）は第１の実施の形態の変形例を示す図２（ａ）に相当する断面図、（ｂ）は第１の実施の形態の変形例を示す図２（ｂ）に相当する断面図、
【図６】（ａ）は第１の実施の形態の変形例を示す図２（ａ）に相当する断面図、（ｂ）は第１の実施の形態の変形例を示す図２（ｂ）に相当する断面図、
【図７】第２の実施の形態を、生理用タンポンと組み合せた状態で示す斜視図、
【図８】（ａ）はタンポンを組み合せていない状態における図７のＩＩ−ＩＩ線の断面図、
（ｂ）はタンポンを組み合せていない状態における図７のＩＩＩ−ＩＩＩ線の断面図。
【符号の説明】
１、１Ａ、１Ｂ、３０  吸収パッド
２、２Ａ、２Ｂ、３１  パッド本体
３、３２  挟持シート
４、４′、３５  吸収層
５、５′、５Ａ、５′Ａ  液透過性シート
７、７′、７Ａ、７′Ａ  吸収性部材
９、９′、９Ａ、９′Ａ、９Ｂ、９′Ｂ、３６  隆起部
１０、１０′、４２  受液部
１１、１１Ｂ、３７  案内スリット
１２、１２Ｂ、３８  挿通部
１３、１４、３９、４０  接合部
１８、３３  表面シート
１９、３４  裏面シート
【図１】
0004540892.tif 000002
【図２】
0004540892.tif 000003
【図３】
0004540892.tif 000004
【図４】
0004540892.tif 000005
【図５】
0004540892.tif 000006
【図６】
0004540892.tif 000007
【図７】
0004540892.tif 000008
【図８】
0004540892.tif 000009